(57)【特許請求の範囲】
【請求項１】
平面視略正方形をした本体部と、この本体部の四辺に沿って、本体部の裏面から厚さ方向下向きに突出する雄嵌合部と、この雄嵌合部を本体部の厚さ方向に受け入れて嵌合する雌嵌合部とが設けられ、本体部の各辺には、各辺の中心線を対称軸にして対称位置の一方に雄嵌合部、他方に嵌合部が対をなすように少なくとも一対設けられているとともに、全ての辺の雄嵌合部と雌嵌合部の配列パターンが同一に形成されているユニット床材であって、雌嵌合部が、無負荷状態で本体部側の基端部から先端に向かって水平面に対して下り勾配となる傾斜状態になり、ユニット床材が載置面に載置されたとき雌嵌合部の底面がユニット床材の載置面に沿う可撓性を備えていることを特徴とするユニット床材。
【請求項２】
雌嵌合部の傾斜角が水平面に対し２０〜３０度である請求項１に記載のユニット床材。
【請求項３】
雌嵌合部が、本体部の側壁から外側に延出するように設けられるとともに、前記側壁には、雌嵌合部の両側に開口する一対の切欠き溝が設けられている請求項１または請求項２に記載のユニット床材。
【請求項４】
雌嵌合部が側面に雄嵌合部を圧入嵌合可能な切欠きを備えている請求項１〜請求項３のいずれかに記載のユニット床材。
【発明の詳細な説明】
【技術分野】
【０００１】
本発明は、ベランダやバルコニーのコンクリート床等の下地床面に敷設されるユニット床材に関するものである。
【背景技術】
【０００２】
従来、バルコニー、ベランダ等の意匠性を上げる為に、コンクリートや防水シートの上にユニット床材を敷設することが行われている。
すなわち、ユニット床材は、通常、正方形や長方形をしているとともに、雄連結部を隣接する二側縁に有し、この雄連結部と連結可能な形状の雌連結部を残りの二側縁に有し、雄連結部を隣接して配置される別のユニット床材の雌連結部に次々に連結させることにより、下地床面の大きさ及び形状に応じて、必要な枚数のユニット床材を下地床面に敷き並べて、下地床面を覆い隠す化粧床面を形成できるようになっている（例えば、特許文献１参照）。
【０００３】
しかしながら、上記のユニット床材は、連結時にユニット床材の方向を変えると、連結できない側縁が生じてしまうため、表面に方向性のある模様がなされていても、決まった順序どおりに施工するしかない。そのため、ユニット床材の方向を任意に変えるためには、図８に示すように、雄連結部Ａおよび雌連結部Ｂの配置を異ならせた２種類のユニット床材Ｘ，Ｙを用意する必要がある上、ユニット床材Ｘ，Ｙそれぞれの必要枚数をあらかじめ決めておく必要があり、施工に手間が生じる。
【０００４】
【特許文献１】特開２００３−２４７３２８号公報
【発明の開示】
【発明が解決しようとする課題】
【０００５】
本発明は、上記問題点に鑑みてなされたものであって、ユニット床材をいずれの向きに配置しても、隣接する全てのユニット床材に連結することができるユニット床材を提供することを目的としている。
【課題を解決するための手段】
【０００６】
上記課題を解決するために、請求項１記載の発明は、平面視略正方形をした本体部と、この本体部の四辺に沿って、本体部の裏面から厚さ方向下向きに突出する雄嵌合部と、この雄嵌合部を本体部の厚さ方向に受け入れて嵌合する雌嵌合部とが設けられ、本体部の各辺には、各辺の中心線を対称軸にして対称位置の一方に雄嵌合部、他方に嵌合部が対をなすように少なくとも一対設けられているとともに、全ての辺の雄嵌合部と雌嵌合部の配列パターンが同一に形成されているユニット床材であって、雌嵌合部が、無負荷状態で本体部側の基端部から先端に向かって水平面に対して下り勾配となる傾斜状態になり、ユニット床材が載置面に載置されたとき雌嵌合部の底面がユニット床材の載置面に沿う可撓性を備えていることを特徴とする。
【０００７】
請求項２記載の発明は、請求項１記載の発明において、雌嵌合部の傾斜角が水平面に対し２０〜３０度であることを特徴とする。
【０００８】
請求項３記載の発明は、請求項１または請求項２記載の発明において、雌嵌合部が、本体部の側壁から外側に延出するように設けられるとともに、前記側壁には、雌嵌合部の両側に開口する一対の切欠き溝が設けられていることを特徴とする。
【０００９】
請求項４記載の発明は、請求項１〜請求項３のいずれかに記載の発明において、雌嵌合部が側面に雄嵌合部を圧入嵌合可能な切欠きを備えていることを特徴とする。
【００１０】
本発明において、ユニット床材の材質としては、特に限定されるものではなく、例えば、ポリエチレン、ポリプロピレン、エチレン−プロピレン共重合体、エチレン−α−オレフィン共重合体、エチレン酢酸ビニル共重合体などオレフィン系樹脂、ポリ塩化ビニル樹脂、スチレン−アクリロニトリル共重合体、スチレン−アクリロニトリル−ブタジエン三次元共重合体等のポリスチレン系樹脂などが挙げられるが、成型性、経済性などを考慮するとオレフィン系樹脂が望ましい。
また、必要に応じて、酸化防止剤や紫外線吸収剤光安定剤等の耐候性向上材料、あるいは、顔料、帯電防止剤等、公知の添加剤を加えてもよい。
【発明の効果】
【００１１】
請求項１記載の発明は、平面視略正方形をした本体部と、この本体部の四辺に沿って、本体部の裏面から厚さ方向下向きに突出する雄嵌合部と、この雄嵌合部を本体部の厚さ方向に受け入れて嵌合する雌嵌合部とが設けられ、本体部の各辺には、各辺の中心線を対称軸にして対称位置の一方に雄嵌合部、他方に嵌合部が対をなすように少なくとも一対設けられているとともに、全ての辺の雄嵌合部と雌嵌合部の配列パターンが同一に形成されているユニット床材であって、雌嵌合部が、無負荷状態で本体部側の基端部から先端に向かって水平面に対して下り勾配となる傾斜状態になり、ユニット床材が載置面に載置されたとき雌嵌合部の底面がユニット床材の載置面に沿う可撓性を備えているので、ユニット床材をいずれの向きに配置しても、隣接する全てのユニット床材に連結することができるとともに、雄嵌合部を雌嵌合部に上方から嵌合させやすいという利点がある。
【００１２】
請求項４記載の発明は、雌嵌合部が側面に雄嵌合部を圧入嵌合可能な切欠きを備えているので、雄嵌合部を雌嵌合部に側方から嵌合させることができるという利点がある。
【発明を実施するための最良の形態】
【００１３】
以下、本発明にかかるユニット床材の一実施形態について、図面に基づいて詳細に説明する。
図１に示すように、本実施形態のユニット床材１ａは、合成樹脂製で、平面視略正方形をした表面材２と、表面材２を設置面上に支持する枠体３ａとを備えている。
枠体３ａは、表面材２と略同一形状をした本体部４と、本体部４の裏面から本体部４の厚さ方向に突出する脚部５と、この本体部４の四辺に沿って、本体部４の裏面から厚さ方向下向きに突出する雄嵌合部６と、この雄嵌合部６を本体部４の厚さ方向に受け入れて嵌合する雌嵌合部７０とを備えている。
【００１４】
図１に示すように、本体部４の各辺には、雄嵌合部６と雌嵌合部７０とが、それぞれ３つずつ同じピッチで設けられている。雄嵌合部６は、本体部４の各辺を中心線Ｄ１または中心線Ｄ２で二等分したときの各辺の一側に配置され、雌嵌合部７０は、各辺の他側に配置されていて、かつ、雄嵌合部６と雌嵌合部７０とは、中心線Ｄ１または中心線Ｄ２を対称軸にして、対称位置の一方に雄嵌合部６が、他方に雌嵌合部７０が対をなすように設けられている。
そして、本体部４の全ての辺において、雄嵌合部６と雌嵌合部７０の配列パターンが同一となっている。
【００１５】
雌嵌合部７０は、図２に示すように、本体部４の側壁８の下端に、無負荷状態で側壁８側の基端部から先端に向かって、水平面に対して傾斜角度αが、例えば２５度の下り勾配となるように設けられている。
側壁８には、雌嵌合部７０の両側に開口する一対の切欠き溝９，９が設けられている。また、側壁８は、切欠き溝９，９で囲まれた部分が、その他の部分に比べて薄肉に形成されていて、雌嵌合部７０に、ユニット床材１ａが、下地床面等の載置面に載置されたときに、雌嵌合部７０の底面７３がユニット床材１ａの載置面に沿う可撓性を付与している。
【００１６】
以上詳細に説明したとおり、本実施形態のユニット床材１ａは、雄嵌合部６と雌嵌合部７０とが、上記の配列パターンで設けられているので、ユニット床材１ａをいずれの向きに配置しても、隣接する全てのユニット床材１ａに連結することができる。
また、表面材２が方向性のある模様を有する場合には、ユニット床材１ａの連結方向を変えることにより、模様の方向を任意に変化させることができるので、従来のように２種類のユニット床材を用意する必要がなく、施工しやすい。
【００１７】
また、雌嵌合部７０は、無負荷状態で本体部側の基端部から先端に向かって水平面に対して下り勾配となる傾斜状態になっているので、ユニット床材１ａ同士を連結する場合に、図３（ａ）に示すように、雌嵌合部７０が雄嵌合部６の下方に入り込むため、雄嵌合部６を雌嵌合部７０の上方から嵌合させやすいという利点がある。
また、雌嵌合部７０は、ユニット床材１ａが載置面に載置されたときに雌嵌合部７０の底面７３がユニット床材１ａの載置面に沿う可撓性を有しているので、載置面に載置されたユニット床材１ａの端部が、載置面から浮き上がる恐れがなく、良好な連結状態を保つことができる。
また、一辺に設ける雄嵌合部６と雌嵌合部７０の個数を各３個ずつとし、合計６個としたので、十分な連結強度を有しながら容易に連結できる。
【００１８】
次に、本発明にかかるユニット床材の第２の実施形態について説明する。
図４に示すように、本実施形態のユニット床材１ｂは、枠体３ｂに設けられている雄嵌合部６と雌嵌合部７０の配置が異なっていること以外は、第１の実施形態のユニット床材１ａと同様の構成であるので、同一構成部分については、同一の符号を付して詳細な説明は省略する。
図４に示すように、本体部４の各辺には、雄嵌合部６と雌嵌合部７０とがそれぞれ３つずつ同じピッチで交互に設けられていて、かつ、雄嵌合部６と雌嵌合部７０とは、中心線Ｄ１または中心線Ｄ２を対称軸にして、対称位置の一方に雄嵌合部６が、他方に雌嵌合部７０が対をなすように設けられている。
そして、本体部４の全ての辺において、雄嵌合部６と雌嵌合部７０の配列パターンは同一となっている。
本実施形態のユニット床材１ｂについても、ユニット床材１ａと同様の効果が得られる。
【００１９】
図５及び図６は参考のユニット床材をあらわしている。
図５，図６に示すように、このユニット床材１ｃは、合成樹脂製で、平面視略正方形をした表面材２と、表面材２を設置面上に支持する枠体３ｃとを備えている。
枠体３は、表面材２と略同一形状をした本体部４と、本体部４の裏面から本体部４の厚さ方向に突出する脚部５と、この本体部４の四辺に沿って、本体部４の裏面から厚さ方向下向きに突出する雄嵌合部６と、この雄嵌合部６を本体部４の厚さ方向に受け入れて嵌合する雌嵌合部７１とを備えている。
【００２０】
図５に示すように、本体部４の各辺には、雄嵌合部６と雌嵌合部７１とがそれぞれ３つずつ同じピッチで設けられている。雄嵌合部６は、本体部４の各辺を中心線Ｄ１または中心線Ｄ２で二等分したときの各辺の一側に配置され、雌嵌合部７１は、各辺の他側に配置されていて、かつ、雄嵌合部６と雌嵌合部７１とは、中心線Ｄ１または中心線Ｄ２を対称軸にして、対称位置の一方に雄嵌合部６が、他方に雌嵌合部７１が対をなすように設けられている。
そして、本体部４の全ての辺において、雄嵌合部６と雌嵌合部７１の配列パターンは同一となっている。
【００２１】
雌嵌合部７１は、本体部４の側壁８から水平方向に突設されており、雌嵌合部７１の側面には、雄嵌合部６を圧入嵌合可能な切欠き１０が設けられている。
切欠き１０は、図７に示すように、雄嵌合部６の挿入方向上流側から下流側に向かって狭くなるように形成されている。具体的には、切欠き１０は、上流側開口部１１の開口幅Ｗ１が、雄嵌合部６の幅方向長さｗよりも広く、下流側開口部１２の開口幅Ｗ２が、雄嵌合部６の幅方向長さｗよりも狭くなっている。
さらに、切欠き１０の下流側開口部１２には、本体部４の端縁に平行な面を有する係止部１３が、下流側開口部１２の開口端縁の全長にわたって形成されている。
【００２２】
ユニット床材１ｃ同士を連結する場合には、図７に示すように、雄嵌合部６を雌嵌合部７１の切欠き１０に向かって押し込むと、切欠き１０が押し広げられて、雄嵌合部６が切欠き１０の下流側開口部１２を通過して、雌嵌合部７１に嵌合する。嵌合後は、雄嵌合部６が戻り方向に移動しても、雄嵌合部６の側面６１が、係止部１３に当接するため、雄嵌合部６の抜けが阻止される。
【００２３】
以上詳細に説明したとおり、ユニット床材１ｃは、雄嵌合部６と雌嵌合部７１とが、上記の配列パターンで設けられているので、ユニット床材１ｃをいずれの向きに配置しても、隣接する全てのユニット床材１ｃに連結することができる。
また、表面材２が方向性のある模様を有する場合には、ユニット床材１ｃの連結方向を任意に変えることにより、模様の方向を任意に変化させることができるので、従来のように２種類のユニット床材を用意する必要がなく、施工しやすい。
【００２４】
また、雌嵌合部７１の側面に、雄嵌合部６を圧入嵌合可能な切欠き１０が設けられているので、ユニット床材１ｃ同士を連結する場合に、雄嵌合部６を雌嵌合部７１の側方から嵌合させればよく、前記のユニット床材１ａ，１ｂのように、雌嵌合部７１を水平面に対して下り勾配となる傾斜状態に設けなくても、連結作業を容易に行うことができる。
また、切欠き１０の下流側開口部１２に係止部１３が設けられているので、雄嵌合部６と雌嵌合部７１との嵌合状態を良好に維持することができる。
【００２５】
なお、本発明において、雄嵌合部および雌嵌合部の個数や配列パターンは、上記実施形態に限られず、本体部４の各辺に、各辺の中心線Ｄ１または中心線Ｄ２を対称軸にして対称位置の一方に雄嵌合部、他方に雌嵌合部が対をなすように少なくとも一対設けられているとともに、全ての辺の配列パターンが同一であればよい。
【００２６】
また、雌嵌合部７０の水平面からの傾斜角度αは、雄嵌合部６を嵌合させやすく、かつ、ユニット床材が載置面に載置されたときに、雌嵌合部７０の底面７３がユニット床材の載置面に沿う可撓性を有していれば限定されるものではないが、２０度〜３０度程度が好適である。
【００２７】
また、本発明の雌嵌合部は、上記実施形態の雌嵌合部７０、７１に限定されるものではなく、雄嵌合部６に嵌合させてユニット床材同士を連結できる構造を有していればよい。
【００２８】
また、ユニット床材１ａ〜１ｃはいずれも、全てが合成樹脂で形成されているが、これに限られず、例えば、枠体３ａ〜３ｃを合成樹脂で形成し、表面材２に磁器タイル、木材タイル、無機焼結タイルなどを用いてもよい。さらに、表面材２と枠体３ａ〜３ｃとは、接着による固定に限られず、ビスなどの係止具で固定してもよい。また、枠体３ａ〜３ｃの形状は、上記実施形態に限られず、任意の形状で構わない。
【００２９】
また、切欠き溝９，９は、必ずしも必要ではなく、雌嵌合部７０に、無負荷状態で本体部側の基端部から先端に向かって水平面に対して下り勾配となる傾斜状態になり、ユニット床材が載置面に載置されたとき雌嵌合部の底面がユニット床材の載置面に沿う可撓性を付与する手段が設けられていればよい。したがって、例えば、側壁８における雌嵌合部７０との連接部分を弾性材料で形成してもよいし、雌嵌合部７０の側壁８側の基端部を弾性材料で形成してもよい。
【図面の簡単な説明】
【００３０】
【図１】本発明にかかるユニット床材の第１の実施形態の底面図である。
【図２】第１の実施形態のユニット床材１ａを構成する枠体３ａの側面図である。
【図３】雄嵌合部６を雌嵌合部７０に嵌合させる手順を示す説明図である。
【図４】本発明にかかるユニット床材の第２の実施形態の底面図である。
【図５】参考のユニット床材の底面図である。
【図６】図５のユニット床材１ｃを構成する枠体３ｃの側面図である。
【図７】図５のユニット床材１ｃの雄嵌合部６を雌嵌合部７１に嵌合させる手順を示す説明図である。
【図８】従来のユニット床材の平面図である。
【符号の説明】
【００３１】
１ａ ユニット床材
１ｂ ユニット床材
１ｃ ユニット床材
４ 本体部
６ 雄嵌合部
７０ 雌嵌合部
７１ 雌嵌合部
１０ 切欠き
【図１】
0005220457.tif 000002
【図２】
0005220457.tif 000003
【図３】
0005220457.tif 000004
【図４】
0005220457.tif 000005
【図５】
0005220457.tif 000006
【図６】
0005220457.tif 000007
【図７】
0005220457.tif 000008
【図８】
0005220457.tif 000009